(57)【特許請求の範囲】
【請求項１】
サーバと複数の端末装置とが通信可能に構成される処方箋共有システムであって、
前記複数の端末装置は、
処方箋情報を含む画像を表示すると共に、１つの処方箋情報に対して調剤の種類ごとに調剤が終了したか否かを識別可能な識別表示であって、調剤の種類それぞれに対応した複数の前記識別表示を同一画面上に表示する表示処理手段と、
調剤の種類ごとに調剤が終了したか否かに関する情報を前記サーバに送信する送信処理手段と、
前記サーバにより記憶された情報に基づいて、前記識別表示の表示を更新する更新手段と、を有し、
前記サーバは、
前記複数の端末装置のうち何れか１つの端末装置から送信される情報に基づいて、前記１つの処方箋情報に対して調剤の種類ごとに調剤が終了したか否かを示す情報を記憶する記憶処理手段を有することを特徴とする処方箋共有システム。
【請求項２】
前記識別表示は、調剤の種類それぞれに対応したアイコンであって、
前記表示処理手段は、前記処方箋情報を含む画像と、調剤の種類それぞれに対応した複数の前記アイコンとを前記同一画面上に表示し、操作者による前記アイコンに対する操作ごとに、前記アイコンの調剤が終了したことを示す表示と、前記アイコンの調剤が終了していないことを示す表示とを切り替えて表示し、
前記送信処理手段は、操作者による前記アイコンに対する操作ごとに調剤が終了したか否かに関する情報を前記サーバに送信することを特徴とする請求項１に記載の処方箋共有システム。
【請求項３】
前記送信処理手段は、調剤が完了した旨の情報を前記サーバに送信し、
前記記憶処理手段は、前記複数の端末装置のうち何れか１つの端末装置から送信される情報に基づいて、調剤が完了したことを示す情報を記憶し、
前記表示処理手段は、調剤が完了した処方箋情報を含む画像を非表示にすることを特徴とする請求項１または２に記載の処方箋共有システム。
【請求項４】
前記表示処理手段は、前記調剤が完了した処方箋情報を含む画像を非表示にするタイミングを遅延させることを特徴とする請求項３に記載の処方箋共有システム。
【請求項５】
前記送信処理手段により調剤が完了した旨の情報が送信され、前記表示処理手段により前記調剤が完了した処方箋情報を含む画像を非表示にするまでの時間は、
前記送信処理手段により調剤の種類ごとに調剤が終了したか否かに関する情報が送信され、前記更新手段により前記識別表示の表示が更新されるまでの時間よりも長いことを特
徴とする請求項３または４に記載の処方箋共有システム。
【請求項６】
前記サーバに接続される表示装置を、更に備え、
前記表示装置は、前記記憶処理手段により記憶された情報に基づいて、薬の受け渡しを待機する待人数を表示することを特徴とする請求項１ないし５の何れか１項に記載の処方箋共有システム。
【請求項７】
前記表示処理手段は、操作者による操作に応じて前記処方箋情報を含む画像に薬の属性情報を表示し、
前記送信処理手段は、前記属性情報に関する情報を前記サーバに送信することを特徴とする請求項１ないし６の何れか１項に記載の処方箋共有システム。
【請求項８】
サーバと複数の端末装置とが通信可能に構成される処方箋共有システムによる処方箋共有方法であって、
前記複数の端末装置において、処方箋情報を含む画像を表示すると共に、１つの処方箋情報に対して調剤の種類ごとに調剤が終了したか否かを識別可能な識別表示であって、調剤の種類それぞれに対応した複数の前記識別表示を同一画面上に表示する表示処理ステップと、
操作者による操作に応じて、調剤の種類ごとに調剤が終了したか否かに関する情報を前記サーバに送信する送信処理ステップと、
前記サーバにおいて、前記複数の端末装置のうち何れか１つの端末装置から送信される情報に基づいて、前記１つの処方箋情報に対して調剤の種類ごとに調剤が終了したか否かを示す情報を記憶する記憶処理ステップと、
前記複数の端末装置において、前記サーバにより記憶された情報に基づいて、前記識別表示の表示を更新する更新ステップと、を有することを特徴とする処方箋共有方法。
【発明の詳細な説明】
【技術分野】
【０００１】
本発明は、処方箋共有システムおよび処方箋共有方法に関するものである。特に、調剤薬局において処方箋に基づいた調剤を行う場合に用いられて好適である。
【背景技術】
【０００２】
従来から、調剤薬局業務を簡単かつ効率的に行う技術が提案されている。特許文献１のネットワーク化した薬局システムは、薬局と入力センターとにより構成され、薬局で処方箋を画像化して入力センターに送信する。入力センターでは処方箋の画像に基づいて薬剤師が調剤設計入力を行い、薬剤のピッキングデータなどの所定データを抽出して薬局に送信することで、調剤薬局業務を効率的に行うことが開示されている。
【先行技術文献】
【特許文献】
【０００３】
【特許文献１】特開２００７−３３４９０４号公報
【発明の概要】
【発明が解決しようとする課題】
【０００４】
ここで、調剤薬局によっては効率化を図るために、１つの処方箋に対して調剤の種類ごとに担当が割り振られた複数の薬剤師が調剤を行い、１つの処方箋の調剤を完了させる。このとき、複数の処方箋に対して複数の薬剤師が平行して調剤を行うと、自身が担当する調剤が終了したか否か、処方箋に記載された全ての調剤が終了したか否かなどを判断する必要が生じてしまい、逆に調剤の効率が妨げられてしまう虞がある。
【０００５】
本発明は、上述したような問題点に鑑みてなされたものであり、処方箋および処方箋に記載された薬の調剤が終了したか否かを共有することで、調剤の効率化を図ることを目的とする。
【課題を解決するための手段】
【０００６】
本発明は、サーバと複数の端末装置とが通信可能に構成される処方箋共有システムであって、前記複数の端末装置は、処方箋情報を含む画像を表示すると共に、１つの処方箋情報に対して調剤の種類ごとに調剤が終了したか否かを識別可能な識別表示であって、調剤の種類それぞれに対応した複数の前記識別表示を同一画面上に表示する表示処理手段と、調剤の種類ごとに調剤が終了したか否かに関する情報を前記サーバに送信する送信処理手段と、前記サーバにより記憶された情報に基づいて、前記識別表示の表示を更新する更新手段と、を有し、前記サーバは、前記複数の端末装置のうち何れか１つの端末装置から送信される情報に基づいて、前記１つの処方箋情報に対して調剤の種類ごとに調剤が終了したか否かを示す情報を記憶する記憶処理手段を有することを特徴とする。
【発明の効果】
【０００７】
本発明によれば、処方箋および処方箋に記載された薬の調剤が終了したか否かを共有することで、調剤の効率化を図ることができる。
【図面の簡単な説明】
【０００８】
【図１】調剤薬局の一例を示す図である。
【図２】処方箋共有システムの構成の一例を示す図である。
【図３】サーバおよびタブレットの概略構成の一例を示す図である。
【図４】第１実施形態の処方箋共有システムの処理を示すフローチャートである。
【図５】第１実施形態のテーブルの一例を示す図である。
【図６】第１実施形態のタブレットの表示部に表示される一例を示す図である。
【図７】第１実施形態のタブレットの表示部に表示される一例を示す図である。
【図８】識別アイコンの設定画面の一例を示す図である。
【図９】第２実施形態のタブレットの表示部に表示される一例を示す図である。
【図１０】第２実施形態の処方箋共有システムの処理を示すフローチャートである。
【図１１】第２実施形態の処方箋共有システムの処理を示すフローチャートである。
【図１２】第２実施形態のテーブルの一例を示す図である。
【図１３】第２実施形態のタブレットの表示部に表示される一例を示す図である。
【発明を実施するための形態】
【０００９】
以下、本発明に係る実施形態について図面を参照して説明する。
図１は、本実施形態に係る処方箋共有システム１が用いられる調剤薬局１０の一例を示す図である。ここでは、１つの処方箋に対して複数の薬剤師が薬を調剤する調剤薬局を想定している。また、図１に示す調剤薬局１０は一例であって、本発明を限定するものではない。
【００１０】
図１に示す調剤薬局１０は、患者から処方箋を受け取る受付部１１、調剤した薬を患者に受け渡す受渡部１２、調剤が完了するのを患者が待機する待合室１３、受付部１１で受け取った処方箋に基づいて薬を調剤する調剤室１４などを備えている。
調剤室１４には、様々な薬が配置された薬品棚１５ａ〜１５ｃ、薬剤師が調剤を行う調剤台１６などが設置されている。
図１に示す調剤室１４には、受付部１１で受け取った１つの処方箋に記載された複数の薬に対してそれぞれ分担して調剤する薬剤師３人（Ａ〜Ｃ）が待機する。また、受付部１１には、患者から処方箋を受け取る受付職員Ｄが待機する。また、受渡部１２には、調剤した薬を受け渡すと共に、服薬指導を行う薬剤師Ｅが待機する。
【００１１】
ここで、患者から処方箋を受け取ってから薬を患者に受け渡すまでの調剤薬局１０内での業務の流れについて簡単に説明する。
まず、受付職員Ｄは、受付部１１にて患者から処方箋Ｒ１を受け取ると会計機器などを用いて、窓口入力／会計などのレセプト事務を行う。レセプト事務と平行して調剤室１４では、薬剤師Ａ〜Ｃが受付部１１で受け取った処方箋Ｒ１に基づいて薬を調剤する。ここでは、薬剤師Ａ〜Ｃは、それぞれ担当する調剤の種類が割り振られている。例えば、薬剤師Ａは錠剤を調剤し、薬剤師Ｂは粉薬を調剤し、薬剤師Ｃは軟膏薬を調剤するものとする。
【００１２】
調剤台１６上には１つの処方箋Ｒ１に対応して１つの処方箱１８が用意される。薬剤師Ａは処方箋Ｒ１に記載された錠剤の調剤が終了すると、処方箱１８に調剤した薬を投入する。同様に、薬剤師Ｂは処方箋Ｒ１の粉薬を調剤して処方箱１８に投入し、薬剤師Ｃは処方箋Ｒ１の軟膏薬を調剤して処方箱１８に投入する。
薬剤師Ｅは、受渡部１２にて調剤が完了した薬を患者に受け渡すと共に、服薬指導などを行う。
【００１３】
ところで、調剤室１４では１つの処方箋のみの調剤を行う場合は稀であって、複数の処方箋に対して平行して調剤が行う。すなわち、調剤台１６上には複数の処方箋に対応した多くの処方箱１８が置かれている。処方箱１８が多くなると、薬剤師Ａ〜Ｃは調剤する薬を覚えるのが困難になり受付部１１で処方箋Ｒ１を確認する必要が生じたり、薬剤師Ａ〜Ｃ自身が担当する調剤が終了したか否かを処方箱１８内の薬から判断する必要が生じたりしまう。そのため、複数の処方箋に対して平行に調剤を行う場合には、調剤の効率化が妨げられてしまう虞がある。
そこで、本実施形態では薬剤師Ａ〜Ｃがそれぞれ処方箋を共有するだけではなく、処方箋に記載された薬の調剤が終了したか否かの情報も共有できるようにする。薬剤師Ａ〜Ｃが、処方箋および処方箋の調剤が終了したか否かの情報を共有することで調剤の効率化を図ることができ、患者に薬を迅速に受け渡すことができる。
【００１４】
（第１実施形態）
以下、本実施形態に係る処方箋共有システム１について具体的に説明する。
＜処方箋共有システムの構成＞
図２は、処方箋共有システム１の構成の一例を示す図である。
処方箋共有システム１は、情報処理装置としてのサーバ２０、端末装置としての複数のタブレット３０（３０ａ〜３０ｃ）、画像読取装置としてのスキャナ４０、印刷装置としてのプリンタ５０、表示装置としてのモニタ７０、ハブ８０などにより構成されている。なお、本実施形態では、スキャナ４０とプリンタ５０とは、画像読取装置および印刷装置の両方の機能を有する複合機６０を用いている。
【００１５】
サーバ２０は、いわゆるウェブサーバとしてのコンピュータであって、処方箋共有システム１全体を制御する。サーバ２０は、例えば図１に示す受付部１１に設置され、受付職員Ｄ（以下、操作者Ｄという）などが操作する。
複数のタブレット３０（３０ａ〜３０ｃ）は、いわゆる携帯可能なコンピュータであって、サーバ２０や操作者による指示に基づいて動作する。タブレット３０（３０ａ〜３０ｃ）は、例えば図１に示す調剤台１６上に載置され、薬剤師Ａ〜Ｃ（以下、操作者Ａ〜Ｃという）がそれぞれ操作する。なお、ここでは、タブレット３０が３つであり、操作者Ａがタブレット３０ａを、操作者Ｂがタブレット３０ｂを、操作者Ｃがタブレット３０ｃを使用する場合について説明する。ただし、操作者Ａ〜Ｃが使用するタブレット３０ａ〜３０ｃは限定する必要がなく、操作者Ａ〜Ｃは近くにあるタブレット３０ａ〜３０ｃを使用することができる。したがって、タブレット３０の数は、操作者の人数と必ずしも一致させる必要はなく、操作者の人数よりも多くても少なくてもよい。
【００１６】
スキャナ４０は、患者の処方箋の画像を読み取る。スキャナ４０は、サーバ２０に有線または無線によって通信可能に接続される。スキャナ４０が読み取った処方箋の画像はサーバ２０に送信される。ここで、タブレット３０ａ〜３０ｃはサーバ２０に送信された処方箋の画像を表示することで、操作者Ａ〜Ｃは処方箋を共有することができる。スキャナ４０は、例えば図１に示す受付部１１に設置され、操作者Ｄなどが操作する。
プリンタ５０は、処方箋の識別番号（受付番号）を印刷する。プリンタ５０は、サーバ２０に有線または無線によって通信可能に接続される。プリンタ５０は、例えば図１に示す受付部１１に設置され、操作者Ｄなどが操作する。
【００１７】
モニタ７０は、薬を受け取るために待機している患者の待人数などを表示する。モニタ７０は、サーバ２０に有線または無線によって通信可能に接続される。モニタ７０は、例えば図１に示す待合室１３に設置される。
ハブ８０は、サーバ２０と、複数のタブレット３０とを通信可能に接続する。ここで、処方箋共有システム１は、例えばインターネットなどの他のネットワークには接続されず、他のネットワークから独立したＬＡＮを構成している。このように、独立したＬＡＮを構成するのは、処方箋などの個人情報が外部に漏洩するのを防止するためである。
【００１８】
図３は、サーバ２０およびタブレット３０の概略構成の一例を示す図である。
＜サーバの構成＞
図３（ａ）はサーバ２０の構成を示している。
サーバ２０は、入力部２１、表示部２２、記憶部２３、通信部２４、スピーカ部１９、制御部２５などを備えている。入力部２１は、例えばキーボードやマウスであって、操作者によるサーバ２０に対する指示、操作および選択を受け付ける。表示部２２は、例えばディスプレイであって、後述する識別アイコンの設定画面などを表示する。記憶部２３は、例えば、ハードディスクドライブであって、後述するテーブル１００やプログラムなどを記憶する。通信部２４は、例えばアンテナであって、ハブ８０を介して複数のタブレット３０との間で通信する。スピーカ部１９は、音声や呼び出し音等を出力する。
【００１９】
制御部２５は、サーバ２０および処方箋共有システム１全体を制御する。制御部２５は、例えばサーバ２０のＣＰＵがＲＯＭや記憶部２３などに記憶されたプログラムを実行することで実現される。制御部２５は、送受信処理部２６、入出力処理部２７、記憶処理部２８、印刷処理部２９などを有する。送受信処理部２６は、通信部２４を制御して各種情報を送受信する。入出力処理部２７は、入力部２１を制御したり、表示部２２およびモニタ７０の表示を制御したり、スピーカ部１９を制御したりする。また、入出力処理部２７は、後述する統計処理をする。記憶処理部２８は、記憶処理手段の一例であって、記憶部２３を制御して、各種情報を記憶部２３に記憶したり、記憶部２３から読み出したりする。また、記憶処理部２８は、後述する識別番号を付与したり、テーブル１００の管理をしたりする。印刷処理部２９は、プリンタ５０を制御する。
【００２０】
＜タブレットの構成＞
図３（ｂ）はタブレット３０（３０ａ〜３０ｃ）の構成を示している。
タブレット３０は、入力部３１、表示部３２、記憶部３３、通信部３４、スピーカ部３９、制御部３５などを備えている。入力部３１は、例えばタッチパネルであって、操作者によるタブレット３０に対する指示、操作および選択を受け付ける。表示部３２は、例えばディスプレイであって、後述する処方箋の画像、識別アイコンなどを表示する。入力部３１と表示部３２とは、一体的に構成され、操作者があたかも表示部３２上に表示された画面を直接的に操作可能であるかのようなＧＵＩを構成する。記憶部３３は、例えばフラッシュメモリである。通信部３４は、例えばアンテナであって、ハブ８０を介してサーバ２０との間で通信する。スピーカ部３９は、音声や呼び出し音等を出力する。
【００２１】
制御部３５は、タブレット３０全体を制御する。制御部３５は、例えばタブレット３０のＣＰＵがＲＯＭや記憶部３３などに記憶されたオペレーションシステム、サーバ２０からの指示に基づいて実行することで実現される。制御部３５は、送受信処理部３６、入出力処理部３７、更新部３８などを有する。送受信処理部３６は、送信処理手段の一例であって、通信部３４を制御して各種情報を送受信する。入出力処理部３７は、表示処理手段の一例であって、入力部３１を制御したり、表示部３２の表示を制御したり、スピーカ部３９を制御したりする。更新部３８は、更新手段の一例であって、表示部３２の表示を更新する。
【００２２】
＜処方箋共有システムの全体処理＞
図４は、処方箋共有システム１の処理を示すフローチャートである。具体的には、図４のうち左側がサーバ２０の処理を示し、図４のうち右側がタブレット３０の処理を示している。図４に示すサーバ２０およびタブレット３０のフローチャートの処理は、サーバ２０のＣＰＵが記憶部２３に記憶したプログラムを実行することで実現される。すなわち、本実施形態では、タブレット３０はオペレーションシステムおよびサーバ２０の指示に基づいて動作する（サーバ２０からプログラムを受信して実行する）ものとし、処方箋共有システム１の処理を実現するための特別なプログラムを記憶していないものとする。ただし、この場合に限られず、図４に示すタブレット３０のフローチャートの処理を、タブレット３０のＣＰＵがタブレット３０のＲＯＭ、記憶部３３に記憶したプログラムを実行することで実現してもよい。
【００２３】
図４のフローチャートは、受付部１１の操作者Ｄがスキャナ４０で、患者の処方箋の画像を読み取ることで開始される。処方箋には、医師が処方した単一あるいは複数の薬、服用量、服用回数などが記載されている。なお、サーバ２０は、処理を開始することで後述する識別アイコンの設定情報に基づいて処方箋のテーブルを生成する。
【００２４】
ステップＳ２０では、サーバ２０はスキャナ４０が読み取った処方箋の画像を受信し、記憶部２３の所定の記憶領域に記憶する。
ステップＳ２１では、サーバ２０は受信した処方箋の画像に識別番号（受付番号）を付与して、プリンタ５０で識別番号を印刷する。ここでは、操作者Ｄは、プリンタ５０が印刷した識別番号のうち１つ目を患者に手渡し、２つ目を処方箋と共に受付部１１で保管し、３つ目を調剤室１４の処方箱１８に添付したり貼付したりする。
ステップＳ２２では、サーバ２０は受信した処方箋の画像、付与した識別番号、および、処方箋の情報を関連付けて処方箋のテーブルに記憶する。
【００２５】
図５は、サーバ２０が記憶する処方箋のテーブル１００の一例を示す図である。ここでは、既に処方箋が数枚（処方箋Ｒ１〜Ｒ３）読み取られている。
図５（ａ）に示すテーブル１００には、処方箋の識別番号１０１、処方箋の画像ファイル名１０２、調剤の種類ごとの終了情報１０３、開始時刻１０４、完了時刻１０５などが記憶される。
処方箋の識別番号１０１は、サーバ２０が受信した処方箋ごとに１から順番に付与する番号である。ここでは、処方箋Ｒ１〜Ｒ３に対して識別番号１〜３が付与されている。
処方箋の画像ファイル名１０２は、サーバ２０が処方箋の画像を受信して、記憶した画像のファイル名である。
終了情報１０３は、調剤の種類ごとに調剤が終了したか否かを示す情報である。図５（ａ）では、錠（錠剤）の終了情報１０３ａ、粉（粉剤）の終了情報１０３ｂ、軟（軟膏剤）の終了情報１０３ｃの３つが設定されている。なお、「−」は調剤が終了していないことを示し、「１」は調剤が終了したことを示している。
開始時刻１０４は、サーバ２０が処方箋の画像を受信したときの時刻である。
完了時刻１０５は、後述するようにタブレット３０ａ〜３０ｃの１つから、調剤が完了した旨の情報を受信したときの時刻である。
【００２６】
図５（ａ）では、処方箋Ｒ１、処方箋Ｒ２については既に調剤が完了しており、新たに処方箋Ｒ３の画像を受信している。サーバ２０が処方箋Ｒ３の画像を受信すると、処方箋Ｒ３に識別番号３を付与し、画像ファイル名「処方箋Ｒ３．ＪＰＧ」と、開始時刻「１０：１４」をテーブル１００に記憶する。なお、終了情報１０３および完了時刻１０５は、何れも「−」である。すなわち、何れの種類の調剤も終了しておらず、調剤が完了していない。
【００２７】
ステップＳ３０では、タブレット３０は、サーバ２０の指示に応じて、サーバ２０の記憶部２３に記憶された情報、すなわちテーブル１００に基づいて処方箋の画像などを表示部３２に表示する。具体的には、タブレット３０は、通信部２４、３４を介して処方箋の画像などをサーバ２０から受信することで表示部３２に表示する。
図６（ａ）は、タブレット３０の表示部３２に表示される表示画面の一例を示す図であり、処方箋Ｒ３について表示されている。
表示部３２には、処方箋の画像１２０、識別番号１２１、開始時刻１２２、残数１２３、反転アイコン１２４、一覧アイコン１２５、ページ移行アイコン１２６、識別表示としての識別アイコン１２７、完了アイコン１２８などが表示される。なお、表示部３２に表示される各種画像データおよびレイアウトデータなどもサーバ２０の記憶部２３に記憶されている。
処方箋の画像１２０は、図５（ａ）のテーブル１００の画像ファイル名１０２に対応する。ここでは、タブレット３０は、画像ファイル名「処方箋Ｒ３．ＪＰＧ」に基づいて、処方箋Ｒ３の画像を表示する。本実施形態では、タブレット３０の表示部３２に、スキャナ４０で読み取ったままの処方箋の画像を表示する。処方箋は、医師が手書きで記載する場合があり、例えばサーバ２０がＯＣＲ機能を用いて文字変換した場合には誤変換される虞がある。したがって、スキャナ４０で読み取ったままの画像を表示することで誤った調剤を防止することができる。
【００２８】
識別番号１２１は、図５（ａ）のテーブル１００の処方箋の識別番号１０１に対応する。ここでは、タブレット３０は、テーブル１００の識別番号「３」に基づいて、「ＮＯ．３」を表示する。
開始時刻１２２は、図５（ａ）のテーブル１００の開始時刻１０４に対応する。ここでは、タブレット３０は、テーブル１００の開始時刻「１０：１４」に基づいて、「１０：１４」を表示する。
残数１２３は、調剤が完了していない処方箋の数である。サーバ２０あるいはタブレット３０はテーブル１００の完了時刻１０５が記憶されていない処方箋の数を算出し、タブレット３０は算出された残数「１」を表示する。
反転アイコン１２４は、スキャナ４０で読み取ったときに処方箋の画像が上下逆である場合に画像の上下を反転させるアイコンである。タブレット３０は、操作者による反転アイコン１２４の押下に応じて、処方箋の画像の上下を反転させて表示する。
【００２９】
一覧アイコン１２５は、調剤が完了していない処方箋を一覧で表示させるアイコンである。タブレット３０は、操作者による一覧アイコン１２５の押下に応じて、処方箋のリストを表示する。
図６（ｂ）は、処方箋の一覧が表示される一例を示す図である。
表示部３２には、処方箋の一部の画像１３０ａ〜１３０ｃ、識別番号１３１ａ〜１３１ｃ、開始時刻１３２ａ〜１３２ｃなどが表示される。
タブレット３０は、テーブル１００のうち完了時刻１０５が記憶されていない処方箋の画像１３０ａ〜１３０ｃ、識別番号１３１ａ〜１３１ｃ、開始時刻１３２ａ〜１３２ｃを受信して表示する。なお、タブレット３０は、一覧表示から操作者による何れかの処方箋の画像の押下に応じて、図６（ａ）に示すように単一の処方箋の画像１２０および各種情報を表示する。
【００３０】
図６（ａ）に戻り、ページ移行アイコン１２６は、次の処方箋の画像および情報を表示させるアイコンである。タブレット３０は、操作者によるページ移行アイコン１２６の押下に応じて、調剤が完了していない次の処方箋の画像および情報を表示する。
図６（ｃ）は、次の処方箋の画像および情報の一例を示す図である。
表示部３２には、次の識別番号の処方箋の画像１２０などが表示される。ここでは、タブレット３０は、例えば図５（ｂ）に示すテーブル１００に基づいて次の識別番号「４」の処方箋Ｒ４の画像および情報を表示する。また、図６（ｃ）では、タブレット３０は、ページ戻しアイコン１２９を表示し、ページ戻しアイコン１２９の押下に応じて識別番号「３」の処方箋Ｒ３の画像および情報を表示する。
なお、例えばタブレット３０ａがページ移行アイコン１２６の押下に応じて次の処方箋の画像を表示したとしても、他のタブレット３０ｂおよびタブレット３０ｃの表示は変わらない。すなわち、タブレット３０ａ〜３０ｄではそれぞれ独立して、任意の処方箋の画像および情報を表示させることができる。したがって、操作者Ａ〜Ｃは、任意の処方箋を確認できるために、他の処方箋の調剤と平行して１つの処方箋の調剤を行うことができる。
【００３１】
図６（ａ）に戻り、識別アイコン１２７（１２７ａ〜１２７ｃ）は、調剤の種類ごとに調剤が終了したか否かを操作者に識別させるアイコンである。タブレット３０は、テーブル１００の終了情報１０３（１０３ａ〜１０３ｃ）に基づいて、識別アイコン１２７（１２７ａ〜１２７ｃ）を表示する。具体的には、タブレット３０は、錠剤の終了情報１０３ａに基づいて「錠」の識別アイコン１２７ａを表示し、粉剤の終了情報１０３ｂに基づいて「粉」の識別アイコン１２７ｂを表示し、軟膏剤の終了情報１０３ｃに基づいて「軟」の識別アイコン１２７ｃを表示する。後述するように、操作者による識別アイコン１２７ａ〜１２７ｃの押下に応じて、タブレット３０は識別アイコン１２７ａ〜１２７ｃの色をそれぞれ変更する。
完了アイコン１２８は、調剤が完了したときに押下するアイコンである。なお、完了とは、全ての調剤が終了したことをいう。
【００３２】
図４に戻り、ステップＳ３１では、タブレット３０は操作者により何れかの識別アイコン１２７が押下されたか否かを判定する。識別アイコン１２７が押下された場合にはステップＳ３２に進み、押下されていない場合にはステップＳ３４に進む。例えば、処方箋Ｒ３に記載された薬のうち、操作者Ａが担当する錠剤の調剤が終了した場合には、操作者Ａは処方箱１８に調剤した薬を投入すると共に、操作者Ａはタブレット３０ａに表示されている「錠」の識別アイコン１２７ａを押下する。
ステップＳ３２では、タブレット３０は押下された識別アイコンの情報をサーバ２０に送信する。この処理は、調剤の種類ごとに調剤が終了したか否かに関する情報をサーバ２０に送信する処理の一例に相当する。例えば、「錠」の識別アイコン１２７ａが押下された場合には、タブレット３０は「錠」の識別アイコン１２７ａが押下された情報をサーバ２０に送信する。このとき、タブレット３０は、「錠」の識別アイコン１２７ａの情報と共に、表示している処方箋Ｒ３の情報も送信する。なお、サーバ２０が各タブレット３０の表示状態（表示されている処方箋）および表示内容（識別アイコン１２７の位置）を管理している場合には、タブレット３０は押下された位置情報をサーバ２０に送信する。この場合、位置情報が調剤の種類ごとに調剤が終了したか否かに関する情報に相当する。
【００３３】
ステップＳ２３では、サーバ２０は、タブレット３０から押下された識別アイコン１２７の情報を受信したか否かを判定する。識別アイコン１２７の情報を受信した場合にはステップＳ２４に進み、受信していない場合にはステップＳ２５に進む。
ステップＳ２４では、サーバ２０は、受信した識別アイコン１２７の情報に基づいてテーブル１００を更新して記憶する。すなわち、サーバ２０はテーブル１００のうち受信した識別アイコン１２７の情報に対応する終了情報を「１」にする。この処理は、調剤の種類ごとに調剤が終了したか否かを示す情報を記憶する処理の一例に相当する。例えば、タブレット３０から「錠」の識別アイコン１２７ａの情報と共に表示していた処方箋Ｒ３の情報を受信すると、サーバ２０は図５（ｂ）に示すように、識別番号３の錠の終了情報１０３ａを「１」にする。なお、サーバ２０が各タブレット３０の表示状態および表示内容を管理している場合には、タブレット３０から送信された位置情報に基づいて、何れの処方箋の何れかの識別アイコン１２７が押下されたかを判定できる。したがって、サーバ２０はテーブル１００のうち判定した処方箋の識別アイコンに対応する終了情報を「１」にする。
【００３４】
ステップＳ３３では、タブレット３０は、サーバ２０からの指示に応じてサーバ２０の記憶部２３に記憶された情報、すなわちテーブル１００に基づいて表示部３２の表示を更新する。
なお、サーバ２０はステップＳ３３のタイミングに限られず、一定時間間隔で全てのタブレット３０に対して表示の更新を指示している。ここでは、一定時間間隔のうちの１つのタイミングを取り上げたものである。
図７（ａ）は、タブレット３０が更新して表示する表示内容の一例を示す図であり、処方箋Ｒ３について表示されている。タブレット３０は、テーブルの終了情報１０３（１０３ａ〜１０３ｃ）に基づいて、識別アイコン１２７（１２７ａ〜１２７ｃ）を表示する。ここでは、タブレット３０は、終了情報１０３のうち錠剤の終了情報１０３ａに終了した旨の情報が記憶されていることに基づいて、「錠」の識別アイコン１２７ａをグレーアウトで表示する。したがって、操作者は、「錠」の識別アイコン１２７ａがグレーアウトで表示されていることにより、錠剤の調剤は終了したことを把握することができる。一方、終了情報１０３ｂ、１０３ｃが変更されていない他の識別アイコン１２７ｂ、１２７ｃについては図６（ａ）と同様に表示される。
ここで、全てのタブレット３０ａ〜３０ｃはサーバ２０のテーブル１００の情報に基づいて更新して表示するために、処方箋Ｒ３を表示した場合には、全てのタブレット３０ａ〜３０ｃで図７（ａ）と同一の内容が表示される。したがって、操作者Ａ〜Ｃは、調剤の種類ごとに調剤が終了したか否かを共有することができる。
【００３５】
ステップＳ３４では、タブレット３０は操作者により完了アイコン１２８が押下されたか否かを判定する。完了アイコン１２８が押下されていない場合にはステップＳ３１に戻り、上述したようにタブレット３０は、引き続き操作者により識別アイコン１２７が押下されたか否かを判定する。例えば、操作者Ｂ、Ｃは、処方箋Ｒ３に記載された薬のうち、操作者Ｂ、Ｃが担当する調剤が終了した場合には、操作者Ｂ、Ｃは処方箱１８に調剤した薬を投入すると共に、タブレット３０ｂ、３０ｃに表示されている「粉」、「軟」の識別アイコン１２７ｂ、１２７ｃをそれぞれ押下する。したがって、サーバ２０は、タブレット３０ｂ、３０ｃから受信した識別アイコン１２７の情報に基づいてテーブル１００を更新する。タブレット３０ａ〜３０ｃは、サーバ２０の記憶部２３に記憶された情報、すなわちテーブル１００に基づいて表示部３２の表示を更新する。
【００３６】
図７（ｂ）は、処方箋Ｒ３の全ての調剤が終了したときに表示される表示内容の一例を示す図であり、処方箋Ｒ３について表示されている。タブレット３０は、全ての終了情報１０３（１０３ａ〜１０３ｃ）に終了した旨の情報が記憶されていることに基づいて、全ての識別アイコン１２７ａ〜１２７ｂをグレーアウトで表示する。
なお、グレーアウトで表示された識別アイコン１２７が再度押下されることで、タブレット３０は識別アイコン１２７の情報をサーバ２０に送信する。この場合、サーバ２０は該当する終了情報を「１」から「−」に戻す。したがって、タブレット３０ａ〜３０ｃは表示部３２の表示を更新すると、再度押下された識別アイコン１２７は調剤が終了していないときの表示に戻される。
また、サーバ２０が各タブレット３０の表示状態および表示内容を管理している場合には、タブレット３０から送信された位置情報に基づいて、何れの処方箋の何れかの識別アイコン１２７が押下されたかを判定できる。したがって、サーバ２０はテーブル１００のうち判定した処方箋の識別アイコンに対応する終了情報が「１」であった場合には、「−」に戻すことができる。
【００３７】
一方、ステップＳ３４において、完了アイコン１２８が押下された場合にはステップＳ３５に進む。例えば、処方箋Ｒ３の調剤が完了したときに、何れかの操作者Ａ〜Ｃは調剤が完了した処方箱１８を薬剤師Ｅに受け渡すと共に、タブレット３０ａ〜３０ｃの何れかの完了アイコン１２８を押下する。
ステップＳ３５では、タブレット３０は完了アイコン１２８が押下された情報をサーバ２０に送信する。この処理は、調剤が完了した旨の情報をサーバ２０に送信する処理の一例に相当する。このとき、タブレット３０は、完了アイコン１２８の押下の情報と共に、表示している処方箋の情報も送信する。
なお、サーバ２０が各タブレット３０の表示状態および表示内容（完了アイコン１２８の位置）を管理している場合には、タブレット３０は押下された位置情報をサーバ２０に送信する。この場合、位置情報が調剤が完了した旨の情報に相当する。
【００３８】
ステップＳ２５では、サーバ２０は、タブレット３０から完了アイコン１２８の押下の情報を受信したか否かを判定する。完了アイコン１２８の押下の情報を受信した場合にはステップＳ２６に進み、受信していない場合にはステップＳ２３に戻る。
ステップＳ２６では、サーバ２０は、受信した完了アイコン１２８の押下の情報に基づいてテーブル１００に完了時刻１０５を記憶する。すなわち、サーバ２０はテーブル１００のうち受信した完了アイコン１２８に対応する処方箋に完了時刻１０５を記憶する。この処理は、調剤が完了したことを示す情報を記憶する処理の一例に相当する。例えば、タブレット３０から完了アイコン１２８の押下の情報と共に、表示していた処方箋Ｒ３の情報を受信すると、サーバ２０は図５（ｃ）に示すように、識別番号３の完了時刻として完了アイコン１２８の押下の情報を受信した時刻「１０：２６」を記憶する。
また、サーバ２０が各タブレット３０の表示状態および表示内容を管理している場合には、タブレット３０から送信された位置情報に基づいて、何れの処方箋の完了アイコン１２８が押下されたかを判定できる。したがって、サーバ２０はテーブル１００のうち判定した処方箋の完了時刻を記憶することができる。
【００３９】
ステップＳ３６では、タブレット３０は、サーバ２０からの指示に応じてサーバ２０のテーブル１００に基づいて表示部３２の表示を更新する。ここで、タブレット３０は、テーブル１００のうち、完了時刻１０５が記憶されていない処方箋の画像および情報を表示するために、ステップＳ３５において送信した完了アイコン１２８に対応する処方箋の画像を表示しない。この処理は、調剤が完了した処方箋の画像を非表示にする処理の一例に相当する。
上述したように、サーバ２０は一定時間間隔でタブレット３０に対して表示の更新を指示している。ここでは、一定時間間隔のうちの１つのタイミングを取り上げたものである。
【００４０】
なお、タブレット３０は、調剤が完了した処方箋の画像を非表示にするタイミングを所定時間（例えば５秒〜１５秒）だけ遅延させる。このように、非表示にするタイミングを遅延させることで、操作者Ａ〜Ｃが誤って完了アイコン１２８を押下した場合であっても、処方箋の画像を確認して見直すことができる。
ここで、非表示にするタイミングを遅延させる処理としては、サーバ２０が所定時間を経過した後に完了時刻１０５をテーブル１００に記憶したり、タブレット３０に対して完了時刻から所定時間の経過した後に非表示にするように指示したりすることで実現される。
なお、所定時間は、操作者がタブレット３０の完了アイコン１２８を押下してから非表示になるまでの時間が、操作者がタブレット３０の識別アイコン１２７を押下してから識別アイコン１２７が更新して表示されるまでの時間よりも長くなるように設定されていることが好ましい。また、所定時間は、操作者がサーバ２０の入力部２１を介した操作に応じて任意に設定できるようにしてもよい。
また、タブレット３０は、残数１２３をサーバ２０に記憶されたテーブル１００のうち完了時刻１０５が記憶されていない処方箋の数になるように更新する。
【００４１】
＜識別アイコンの設定＞
次に、上述した調剤薬局の例では、操作者Ａ〜Ｃにそれぞれ錠剤、粉剤、軟膏剤の調剤を割り振っていたために、識別アイコン１２７として錠剤、粉剤、軟膏剤の識別アイコン１２７ａ〜１２７ｃを表示する場合について説明した。しかしながら、調剤薬局によって調剤の種類を増減したい場合がある。そこで、本実施形態では、識別アイコン１２７を任意に設定できるようにしている。
【００４２】
以下、識別アイコンの設定について図８を参照して説明する。
図８は、サーバ２０の表示部２２に表示される、識別アイコン１２７の設定画面の一例を示す図である。
サーバ２０は、操作者による識別アイコンの設定を行う指示に応じて図８に示す設定画面を表示する。
図８に示すようにサーバ２０は、作業アイコン領域１４０と、プリセット領域１４２とを表示する。作業アイコン領域１４０には、操作者がタブレット３０に表示させたい識別アイコンと、識別アイコンを削除するための削除ボタン１４１とが表示される。一方、プリセット領域１４２には、識別アイコンとして表示できる全ての識別アイコン１２７ａ〜１２７ｉが表示される。ここで、「外」の識別アイコン１２７ｄは外用薬を示し、「内」の識別アイコン１２７ｅは内服薬を示し、「鼻」の識別アイコン１２７ｆは点鼻薬を示し、「眼」の識別アイコン１２７ｇは点眼薬を示し、「水」の識別アイコン１２７ｈは水薬を示し、「包」の識別アイコン１２７ｉは一包化薬を示している。
【００４３】
サーバ２０は、操作者によるプリセット領域１４２から作業アイコン領域１４０への識別アイコンのコピー（例えばドラッグ＆ドロップ）の操作に応じて所望する識別アイコン１２７を作業アイコン領域１４０に追加する。また、サーバ２０は、操作者による削除ボタン１４１の押下に応じて作業アイコン領域１４０内の識別アイコンを削除する。
サーバ２０は、操作者による確定の操作に応じて、作業アイコン領域１４０内の識別アイコンの情報を設定情報として記憶部２３に記憶する。
【００４４】
したがって、サーバ２０は、図４に示すフローチャートの処理を開始するときに、記憶した識別アイコンの設定情報に基づいてテーブル１００を生成する。すなわち、サーバ２０は、作業アイコン領域１４０内の識別アイコンに対応した終了情報１０３を用意する。具体的には、設定情報に「錠」の識別アイコン１２７ａ、「粉」の識別アイコン１２７ｂ、「軟」の識別アイコン１２７ｃが記憶されている場合、図５（ａ）に示すように、錠剤の終了情報１０３ａ、粉剤の終了情報１０３ｂ、軟膏剤の終了情報１０３ｃが含まれるテーブル１００を生成する。
このように、本実施形態の処方箋共有システム１によれば、使用される調剤薬局の業務形態に応じて識別アイコン１２７を任意に設定することができる。
【００４５】
＜モニタの待人数表示＞
次に、待合室１３のモニタ７０に表示される表示内容について図２を参照して説明する。
図２に示すように、モニタ７０の画面には、待人数表示領域７１、第１の識別番号表示領域７２、第２の識別番号表示領域７３が表示される。待人数表示領域７１には、薬を受け取るために待機している患者の「待人数」が表示される。
第１の識別番号表示領域７２には、調剤が完了している処方箋に対応する識別番号（受付番号）が表示される。したがって、第１の識別番号表示領域７２に表示された識別番号の患者は、受渡部１２でもうすぐ呼び出されることを認識できる。
第２の識別番号表示領域７３には、調剤が完了していない処方箋に対応する識別番号（受付番号）が表示される。したがって、第２の識別番号表示領域７３に表示された識別番号の患者は、薬の受け渡しに時間が掛かることを認識することができる。
【００４６】
次に、サーバ２０によるモニタ７０に対する表示処理について説明する。
サーバ２０は、記憶部２３に記憶された情報、すなわちテーブル１００に基づいて第１の識別番号表示領域７２、第２の識別番号表示領域７３の内容を表示する。
サーバ２０は、テーブル１００に記憶される処方箋の情報のうち完了時刻１０５が記憶されていない処方箋の識別番号を第２の識別番号表示領域７３に表示する。完了時刻１０５が記憶されていない処方箋は調剤が完了していないために薬を受け渡すのに時間が要するためである。このとき、サーバ２０は、テーブル１００の終了情報が「１」の数に相当する印７４を識別番号に近接して表示する。
また、サーバ２０は、現在時刻から所定時間前（例えば５分前）までの間の完了時刻１０５が記憶されている処方箋の識別番号を第１の識別番号表示領域７２に表示する。完了時刻１０５が記憶されている処方箋は調剤が完了しているために薬を直ぐに受け渡すことができるためである。一方、現在時刻から所定時間前までの間に限定したのは、所定時間よりも更に前の完了時刻１０５が記憶されている処方箋は、既に受渡部１２にて患者に薬を受け渡している可能性が高いためである。
また、サーバ２０は、第１の識別番号表示領域７２と第２の識別番号表示領域７３とに表示されている数を加算し、加算した数を待人数表示領域７１に表示する。
【００４７】
例えば、図５（ｃ）に示すテーブル１００が記憶部２３に記憶され、現在時刻「１０：２７」であったものとする。この場合、図２に示すように、サーバ２０は、テーブル１００のうち完了時刻１０５が記憶されていない識別番号４と識別番号５をそれぞれ、第２の識別番号表示領域７３に「ＮＯ．４」、「ＮＯ．５」として表示する。更に、サーバ２０は、テーブル１００に基づいて各識別番号における終了情報が「１」の数をカウントし、カウントした数の印７４、具体的には黒丸を「ＮＯ．」に近接して表示する。ここでは、識別番号４の終了情報の「１」の数が２つであるから「ＮＯ．４」の近くには２個の黒丸が表示され、識別番号５の終了情報の「１」の数が０であるから「ＮＯ．５」の近くには黒丸が表示されない。
また、サーバ２０は、テーブル１００のうち現在時刻「１０：２７」から所定時間前（ここでは５分前）までの間の完了時刻１０５が記憶された識別番号３を、第１の識別番号表示領域７２に「ＮＯ．３」として表示する。また、サーバ２０は、第１の識別番号表示領域７２に１つの識別番号が表示され、第２の識別番号表示領域７３に２つの識別番号を表表示されていることから、表示されている数を加算して３を算出し、算出して数を待人数表示領域７１に「３人」として表示する。
【００４８】
なお、所定時間は上述した例に限定されず、操作者がサーバ２０の入力部２１を介した操作に応じて任意に設定できるようにしてもよい。
このように、サーバ２０に記憶された調剤が完了したか否かを示す情報、具体的には完了時刻１０５の情報に基づいてモニタ７０に持ち人数を表示することで、患者は待人数を把握することができる。
【００４９】
＜サーバの統計処理＞
次に、サーバ２０による統計処理について説明する。
サーバ２０は一日ごとにテーブル１００を記憶する。操作者による入力部２１を介した操作に応じて、サーバ２０は一日ごとに処方箋の処理件数を表示したり、その日の平均調剤時間を表示したりすることができる。すなわち、サーバ２０は、テーブル１００に記憶された識別番号のうち、最後の識別番号を参照することで処方箋の処理件数を表示することができる。例えば、最後の識別番号が１００の場合には、サーバ２０は表示部２２に処理件数１００件として表示する。
また、サーバ２０は、テーブル１００の処方箋ごとに完了時刻から開始時刻を減算することで調剤時間を算出でき、算出した全ての処方箋の調剤時間を平均することで、平均調剤時間を表示することができる。
【００５０】
以上、第１実施形態の処方箋共有システム１によれば、タブレット３０ａ〜３０ｃは処方箋の画像と、調剤の種類ごとに調剤が終了したか否かを識別可能な識別アイコン１２７とを表示し、タブレット３０ａ〜３０ｃの１つは操作者による操作に応じて調剤の種類ごとに調剤が終了したか否かに関する情報をサーバ２０に送信する。サーバ２０はタブレット３０から送信される情報に基づいて、調剤の種類ごとに調剤が終了したか否かを示す情報をそれぞれ記憶する。タブレット３０ａ〜３０ｃは、サーバ２０により記憶された情報に基づいて、識別アイコン１２７を更新する。したがって、タブレット３０ａ〜３０ｃを視認することで、処方箋および処方箋に記載された薬の調剤が終了したか否かを共有することができ、調剤の効率化を図ることができる。
【００５１】
また、タブレット３０ａ〜３０ｃの１つは操作者による操作に応じて、調剤が完了した旨の情報をサーバ２０に送信する。サーバ２０は調剤が完了したことを示す情報を記憶し、タブレット３０ａ〜３０ｃは調剤が完了した処方箋の画像を非表示にする。したがって、タブレット３０ａ〜３０ｃを視認することで、調剤が完了していない処方箋だけを把握することができ、調剤の効率化を図ることができる。
【００５２】
また、タブレット３０ａ〜３０ｃは、調剤が完了した処方箋の画像を非表示するタイミングを遅延させる。具体的には、タブレット３０ａ〜３０ｃの１つが調剤が完了した旨の情報を送信してから、調剤が完了した処方箋の画像を非表示にするまでの時間を、タブレット３０ａ〜３０ｃの１つが調剤の種類ごとに調剤が終了したか否かに関する情報をサーバ２０に送信してから、識別アイコン１２７の表示を更新するまでの時間よりも長くする。このように調剤が完了した処方箋の画像を非表示するまでの時間を長くすることで、誤って調剤が完了した旨の情報が送信されたとしても、しばらくの間、確認して見直すことができる。
また、モニタ７０は、サーバ２０により記憶された情報に基づいて、薬の受け渡しを待機している待人数を表示する。したがって、患者は待人数を把握することができる。
【００５３】
（第２実施形態）
第２実施形態では、薬の属性情報、および、処方箋あるいは患者に関する関連情報を共有することができる。なお、処方箋共有システム１の構成、サーバ２０の構成、タブレット３０の構成は、第１実施形態と同様であり、その説明を省略する。ここでは、第１実施形態と異なる点を中心に説明する。なお、本実施形態では、受付部１１にも受付職員Ｄが操作するタブレット３０が配置され、受渡部１２にも薬剤師Ｅが操作するタブレット３０が配置されているものとして説明する。
図９は、タブレット３０の表示部３２に表示される表示画面の一例を示す図であり、処方箋Ｒ３について表示されている。
【００５４】
図９に示すように、表示部３２の処方箋Ｒ３の画像１２０には、処方された薬として手書きで記載された「錠剤Ａ」、「粉剤Ｂ」および「軟膏剤Ｃ」が表示されている。
本実施形態では、表示部３２に属性情報としての属性アイコンを任意の位置に貼付して表示させることができる。属性アイコンは薬の属性を示し、ここでは後発医薬品（ジェネリック医薬品）を示す後発薬アイコン１５０ａと、先発医薬品を示す先発薬アイコン１５０ｂが用意されている。
【００５５】
操作者は、表示部３２内の属性アイコン領域１５１内に表示された後発薬アイコン１５０ａおよび先発薬アイコン１５０ｂの何れか一方をドラッグ＆ドロップすることで、処方箋の画像に重畳させた任意の位置に配置することができる。したがって、例えば、患者が処方箋に記載された薬のうち後発薬または先発薬を要望する場合に、受付職員Ｄは表示部３２に表示させた処方箋の画像のうち該当する薬の近接した位置に、後発薬アイコン１５０ａまたは先発薬アイコン１５０ｂをドラッグ＆ドロップで配置することができる。なお、後発薬アイコン１５０ａおよび先発薬アイコン１５０ｂは、一つに限らず、それぞれ複数配置することができる。
【００５６】
また、本実施形態では、表示部３２に関連情報としての関連アイコンを表示させることができる。関連アイコンとは、処方箋あるいは患者に関する情報を示し、ここでは４つの第１の関連アイコン１６０ａ〜第４の関連アイコン１６０ｄが用意されている。第１の関連アイコン１６０ａは、患者がお薬手帳を所有しているかを識別するアイコンである。第２の関連アイコン１６０ｂは、一人の患者から複数の処方箋を受け取ったことを識別するアイコンである。第３の関連アイコン１６０ｃは、患者が薬を後で受け取ることを要望したことを識別するアイコンである。第４の関連アイコン１６０ｄは、患者が薬を後日に受け取ることを要望したことを識別するアイコンである。なお、関連アイコンは４つに限られない。また、第１の関連アイコン１６０ａ〜第４の関連アイコン１６０ｄが表す意味は上述した意味に限られず各調剤薬局１０内で自由に取り決めることができる。
操作者は、表示部３２内の関連アイコン領域１６１内に表示された第１の関連アイコン１６０ａ〜第４の関連アイコン１６０ｄを押下することで例えばアイコンの色が変化して、選択状態であることを識別できる。
なお、表示部３２に表示される、後発薬アイコン１５０ａ、先発薬アイコン１５０ｂおよび第１の関連アイコン１６０ａ〜第４の関連アイコン１６０ｄの画像データやレイアウトデータなどはサーバ２０の記憶部２３に記憶されている。
【００５７】
＜処方箋共有システムの全体処理＞
次に、本実施形態の処方箋共有システムの全体の処理について説明する。
図１０および図１１は、本実施形態の処方箋共有システム１の処理を示すフローチャートである。なお、第１実施形態と同様な処理は、同一のステップ番号を付して、その説明を省略する。ここでは、サーバ２０のステップＳ２０〜Ｓ２２、Ｓ２３〜Ｓ２６、および、タブレット３０のステップＳ３０、Ｓ３１〜Ｓ３５までが第１実施形態と同様であり、サーバ２０のステップＳ４０〜Ｓ４５、および、タブレット３０のステップＳ５０〜Ｓ５９が追加あるいは変更した処理である。
【００５８】
ステップＳ５０では、タブレット３０は操作者により属性アイコンがドラッグ＆ドロップされたか否かを判定する。ドラッグ＆ドロップされた場合にはステップＳ５１に進み、ドラッグ＆ドロップされていない場合にはステップＳ５３に進む。例えば、患者が錠剤Ａを後発薬にしたい要望がある場合、受付職員Ｄは表示部３２に対応する処方箋を表示させた状態で後発薬アイコン１５０ａを錠剤Ａの近くにドラッグ＆ドロップする。また、例えば、粉剤Ｂを後発薬にしたい要望がある場合には後発薬アイコン１５０ａを粉剤Ｂの近くにドラッグ＆ドロップし、軟膏剤Ｃを先発薬にしたい要望の場合には、先発薬アイコン１５０ｂを軟膏剤Ｃの近くにドラッグ＆ドロップする。
なお、図１３（ａ）は、後発薬アイコン１５０ａを錠剤Ａおよび粉剤Ｂの近くに配置し、先発薬アイコン１５０ｂを軟膏剤Ｃの近くに配置した一例を示している。
【００５９】
ステップＳ５１では、タブレット３０はドラッグ＆ドロップされた属性アイコンに関する情報をサーバ２０に送信する。例えば、後発薬アイコン１５０ａがドラッグ＆ドロップされた場合には、タブレット３０は後発薬アイコン１５０ａの情報と共に、ドロップされた位置および表示している処方箋Ｒ３の情報も送信する。なお、サーバ２０が各タブレット３０の表示状態（表示されている処方箋）および表示内容（属性アイコン領域１５１の位置）を管理している場合には、タブレット３０はドラッグ＆ドロップされた位置情報をサーバ２０に送信する。この場合、位置情報が属性アイコンに関する情報に相当する。
ステップＳ４０では、サーバ２０はタブレット３０からドラッグ＆ドロップされた属性アイコンに関する情報を受信したか否かを判定する。属性アイコンに関する情報を受信した場合にはステップＳ４１に進み、受信していない場合にはステップＳ４２に進む。
【００６０】
ステップＳ４１では、サーバ２０は、受信した情報に基づいてテーブル２００を更新して記憶する。ここでは、サーバ２０は受信した属性アイコンに対応する位置情報を記憶する。
図１２は、サーバ２０が記憶する処方箋のテーブル２００の一例を示す図である。テーブル２００には、第１実施形態で説明した項目に加えて、投薬時刻２０１、属性アイコンの位置２０２、関連アイコンの選択状態２０３などが記憶される。
【００６１】
投薬時刻２０１は、後述する投薬アイコンが押下されたときの時刻である。
属性アイコンの位置２０２は、後発薬アイコン１５０ａまたは先発薬アイコン１５０ｂがドロップされた表示部３２上の座標（Ｘ，Ｙ）である。ここでは、後発薬アイコンの位置２０２ａと後発薬アイコンの位置２０２ｂとがそれぞれ一つずつのみであるが、ドロップされた属性アイコンの数が増える度に属性アイコンの位置２０２の欄が増えて対応する座標が記憶される。
関連アイコンの選択状態２０３は、第１の関連アイコン１６０ａ〜第４の関連アイコン１６０ｄが押下され選択されたか否かを示す情報である。ここでは、第１の関連アイコン１６０ａ〜第４の関連アイコン１６０ｄに対応して４つの関連アイコンの選択状態２０３ａ〜２０３ｄが記憶される。なお、関連アイコンの数に応じた関連アイコンの選択状態が記憶される。
例えば、サーバ２０が後発薬アイコン１５０ａの情報と、後発薬アイコン１５０ａがドロップされた位置および処方箋Ｒ３の情報を受信した場合には、図１２に示すように、サーバ２０は処方箋Ｒ３の後発薬アイコンの位置として、座標（７００、１１００）を記憶する。
なお、サーバ２０が各タブレット３０の表示状態および表示内容を管理している場合には、タブレット３０から送信されたドラッグ＆ドロップの位置情報に基づいて、何れの処方箋の何れかの属性アイコンが何れの位置にドロップされたかを判定できる。したがって、サーバ２０はテーブル２００のうち判定した処方箋の属性アイコンの位置に対応する座標を記憶する。
【００６２】
ステップＳ５２では、タブレット３０は、サーバ２０からの指示に応じてサーバ２０の記憶部２３に記憶された情報、すなわちテーブル２００に基づいて表示部３２の表示を更新する。ここで、全てのタブレット３０はサーバ２０のテーブル２００の情報に基づいて更新して表示するために、処方箋Ｒ３を表示した場合には、全てのタブレット３０で錠剤Ａに近接して後発薬アイコン１５０ａが表示される。したがって、各操作者は、薬ごとに後発医薬品であるか先発医薬品であるかを共有することができ、患者の要望する薬を正確に調剤することができる。
また、このときタブレット３０は、サーバ２０からの指示に応じてスピーカ部３９を介して処方箋に属性アイコンが貼付された旨を音や音声で報知する。
【００６３】
ステップＳ５３では、タブレット３０は操作者により関連アイコンが押下され、選択されたか否かを判定する。選択された場合にはステップＳ５４に進み、選択されていない場合にはステップＳ３１に進む。例えば、患者がお薬手帳を所有している場合には、受付職員Ｄは表示部３２に表示された第１の関連アイコン１６０ａを押下する。また、例えば、患者から複数枚の処方箋を受け取った場合には、受付職員Ｄは表示部３２に表示された第２の関連アイコン１６０ｂを押下する。また、例えば、患者が薬を後に、または、後日に受け取ることを要望した場合には、受付職員Ｄは表示部３２に表示された第３の関連アイコン１６０ｃ、または、第４の関連アイコン１６０ｄを押下する。
なお、図１３（ａ）は、第２の関連アイコン１６０ｂ、第４の関連アイコン１６０ｄが選択された状態の一例を示している。
【００６４】
ステップＳ５４では、タブレット３０は押下された関連アイコンに関する情報を送信する。例えば、第２の関連アイコン１６０ｂが押下された場合には、タブレット３０は第２の関連アイコン１６０ｂの情報と共に、表示している処方箋Ｒ３の情報も送信する。なお、サーバ２０が各タブレット３０の表示状態および表示内容（関連アイコン領域１６１の位置）を管理している場合には、タブレット３０は押下された位置情報をサーバ２０に送信する。この場合、位置情報が関連アイコンに関する情報に相当する。
ステップＳ４２では、サーバ２０は、タブレット３０から押下された関連アイコンに関する情報を受信したか否かを判定する。関連アイコンに関する情報を受信した場合にはステップＳ４３に進み、受信していない場合にはステップＳ２３に進む。
【００６５】
ステップＳ４３では、サーバ２０は受信した情報に基づいてテーブル２００を更新して記憶する。ここでは、サーバ２０は関連アイコンの選択状態を記憶する。例えば、サーバ２０は第２の関連アイコン１６０ｂの情報および処方箋Ｒ３の情報を受信した場合には、処方箋Ｒ３の第２の関連アイコンの選択状態２０３ｂを「−」から「１」にして記憶する。
【００６６】
ステップＳ５５では、タブレット３０はサーバ２０からの指示に応じてサーバ２０の記憶部２３に記憶されたテーブル２００に基づいて表示部３２の表示を更新する。ここで、全てのタブレット３０ｃはサーバ２０のテーブル２００の情報に基づいて更新して表示するために、処方箋Ｒ３を表示した場合には、全てのタブレット３０で第２の関連アイコン１６０ｂが選択された状態で表示される。したがって、各操作者は、処方箋Ｒ３の患者から複数の処方箋を受け取ったことを共有することができるので、複数の処方箋に基づく各薬を同じタイミングで患者に受け渡せるように、調整しながら調剤することができる。また、第１の関連アイコン１６０ａが選択されている場合には、各操作者は、処方箋Ｒ３の患者がお薬手帳を所有していることを共有することができる。また、第３の関連アイコン１６０ｃまたは第４の関連アイコン１６０ｄが選択されている場合には、各操作者はその処方箋の調剤を後回しにして、他の処方箋の調剤を優先することができる。
また、このときタブレット３０はサーバ２０からの指示に応じてスピーカ部３９を介して処方箋に関連アイコンが選択された旨を音や音声で報知する。
【００６７】
その後、ステップＳ２６においてサーバ２０が受信した完了アイコン１２８の押下の情報に基づいてテーブル２００に完了時刻１０５を記憶されることで、ステップＳ５６では、タブレット３０はサーバ２０からの指示に応じてサーバ２０のテーブル２００に基づいて表示部３２の表示を更新する。このとき、図１３（ａ）に示すように、タブレット３０は、テーブル２００のうち完了時刻１０５が記憶されている完了アイコン１２８を投薬アイコン１４５に変更して表示する。
【００６８】
ステップＳ５７では、タブレット３０は操作者により投薬アイコン１４５が押下されたか否かを判定する。押下された場合にはステップＳ５８に進み、押下されていない場合には押下を待機する。ここでは、例えば、受渡部１２の操作者Ｅがタブレット３０の投薬アイコン１４５を押下することを想定する。
ステップＳ５８では、タブレット３０は投薬アイコン１４５が押下された情報をサーバ２０に送信する。この処理は、調剤が完了した旨の情報をサーバ２０に送信する処理の一例に相当する。このとき、タブレット３０は、投薬アイコン１４５の押下の情報と共に、表示している処方箋の情報も送信する。
なお、サーバ２０が各タブレット３０の表示状態および表示内容（投薬アイコン１４５の位置）を管理している場合には、タブレット３０は押下された位置情報をサーバ２０に送信する。この場合、位置情報が調剤が完了した旨の情報に相当する。
【００６９】
ステップＳ４４では、サーバ２０は、タブレット３０から投薬アイコン１４５の押下の情報を受信したか否かを判定する。投薬アイコン１４５の押下の情報を受信した場合にはステップＳ４５に進み、受信していない場合には押下を待機する。
ステップＳ４５では、サーバ２０は、受信した投薬アイコン１４５の押下の情報に基づいてテーブル２００に投薬時刻２０１を記憶すると共に、薬を受け渡すためにスピーカ部１９を介して患者を呼び出す。例えば、サーバ２０は薬を受け渡すことができる旨を音声で出力したり、投薬アイコン１４５が押下された処方箋に対応する識別番号を音声で出力したりすることで患者を呼び出す。更に、サーバ２０は、投薬時刻が記憶された識別番号をモニタ７０の第１の識別番号表示領域７２から消去する。
なお、サーバ２０が各タブレット３０の表示状態および表示内容を管理している場合には、タブレット３０から送信された位置情報に基づいて、何れの処方箋の投薬アイコン１４５が押下されたかを判定できる。したがって、サーバ２０はテーブル２００のうち判定した処方箋の投薬時刻を記憶することができる。
【００７０】
ステップＳ５９では、タブレット３０は、サーバ２０からの指示に応じてサーバ２０のテーブル２００に基づいて表示部３２の表示を更新する。ここで、タブレット３０はテーブル２００のうち、投薬時刻２０１が記憶された処方箋の画像を非表示にし、投薬時刻２０１が記憶されていない処方箋の画像および情報のみを表示する。この処理は、調剤が完了した処方箋の画像を非表示にする処理の一例に相当する。
【００７１】
なお、第１実施形態と同様に操作者が誤って投薬アイコン１４５を押下した場合を考慮して、タブレット３０は調剤が完了した処方箋の画像を非表示にするタイミングを所定時間（例えば５秒〜１５秒）だけ遅延させる。ここで、非表示にするタイミングを遅延させる処理としては、サーバ２０が所定時間を経過した後に投薬時刻２０１をテーブル２００に記憶したり、タブレット３０に対して投薬時刻から所定時間の経過した後に非表示にするように指示したりすることで実現される。所定時間は、第１実施形態と同様である。また、タブレット３０は、残数１２３をサーバ２０に記憶されたテーブル２００のうち投薬時刻２０１が記憶されていない処方箋の数になるように更新する。
【００７２】
図１３（ｂ）は、一覧アイコン１２５が押下されて、処方箋の一覧が表示される一例を示す図である。本実施形態では、テーブル２００に属性アイコンの位置２０２、関連アイコンの選択状態２０３が記憶されている場合、タブレット３０は該当するアイコンを処方箋の一部の画像１３０ａ〜１３０ｃの近くに表示する。
具体的には、図１２に示すテーブル２００の処方箋Ｒ３には、先発薬アイコンの位置２０２ａおよび後発薬アイコンの位置２０２ｂのそれぞれに座標が記憶されている。したがって、図１３（ｂ）に示すように、タブレット３０は処方箋Ｒ３の画像１３０ａの近くに先発薬アイコン１５０ａおよび後発薬アイコン１５０ｂを表示する。このとき、先発薬アイコンの位置２０２ａに複数の座標が記憶されたり、後発薬アイコンの位置２０２ｂに複数の座標が記憶されたりしていても、処方箋Ｒ３の画像１３０ａの近くに表示する先発薬アイコン１５０ａの数および後発薬アイコン１５０ｂの数はそれぞれ一つとする。
同様に、図１２に示すテーブル２００の処方箋Ｒ３には、第２の関連アイコンの選択状態２０３ｂおよび第４の関連アイコンの選択状態２０３ｄのそれぞれに「１」が記憶されている。したがって、図１３（ｂ）に示すようにタブレット３０は処方箋Ｒ３の画像１３０ａの近くに第２の関連アイコン１６０ｂおよび第４の関連アイコン１６０ｄを表示する。
このように、処方箋の一覧を表示するときに処方箋ごとに属性アイコンおよび関連アイコンを表示することで、各操作者は何れの処方箋に属性アイコンおよび関連アイコンが貼付されているかを容易に把握することができる。
【００７３】
以上、第２実施形態の処方箋共有システム１によれば、処方箋の画像に後発薬アイコン１５０ａまたは先発薬アイコン１５０ｂを表示させることで、各操作者は薬の属性情報を共有することができる。また、第１の関連アイコン１６０ａ〜第４の関連アイコン１６０ｄを表示させることで、各操作者は処方箋あるいは患者に関連する情報を共有することができ、効率よく調剤を行うことができる。
なお、本実施形態では、タブレット３０は操作者による後発薬アイコン１５０ａ上あるいは先発薬アイコン１５０ｂ上を長押しする操作に応じてアイコンを削除するメニューを表示することができる。タブレット３０はユーザによる削除する操作に応じてサーバ２０にアイコンを削除する情報を送信し、サーバ２０はテーブル２００から削除する操作に対応する属性情報の位置情報を削除する。
【００７４】
また、本実施形態では、タブレット３０は選択状態の第１の関連アイコン１６０ａ〜第４の関連アイコン１６０ｄが再度押下されることで、第１の関連アイコン１６０ａ〜第４の関連アイコン１６０ｄの情報をサーバ２０に送信する。この場合、サーバ２０は該当する関連アイコンの選択状態を「１」から「−」に戻す。したがって、タブレット３０は表示部３２の表示を更新すると、第１の関連アイコン１６０ａ〜第４の関連アイコン１６０ｄが選択されていない表示に戻される。
また、本実施形態では、第１実施形態で説明した識別アイコンの設定と同様な方法により、第１の関連アイコン１６０ａ〜第４の関連アイコン１６０ｄの増減を任意に設定することができる。
【００７５】
以上、本発明を上述した実施形態と共に説明したが、本発明は上述した実施形態にのみ限定されるものではなく、本発明の範囲内で変更等が可能であり、各実施形態を組み合せることができる。
上述した実施形態では、１人の薬剤師が担当する調剤の種類が１種類である場合について説明したが、この場合に限られず、１人の薬剤師が２種類以上の調剤を担当してもよく、複数の薬剤師が１種類の調剤を担当してもよい。
【００７６】
また、タブレット３０の表示部３２に表示する処方箋の画像は、処方箋の画像の一部であってもよい。また、タブレット３０の表示部３２に表示する処方箋は、サーバ２０のＯＣＲ機能により文字変換したものであってもよいが、誤変換を考慮するとスキャナ４０で読み取ったままの画像であることが好ましい。
また、上述した説明では、サーバ２０が一定時間間隔でタブレット３０に対して表示の更新を指示する場合について説明したが、この場合に限られない。例えば、サーバ２０でステップＳ２４やステップＳ２６などのイベントが生じたときに、タブレット３０に対して表示の更新を指示してもよい。
また、上述した説明では、調剤が終了した識別アイコン１２７をグレーアウトで表示する場合について説明したが、この場合に限られず、調剤が終了したことを識別できれば、どのような表示であってもよい。
【符号の説明】
【００７７】
１：処方箋共有システム  ２０：サーバ（情報処理装置）  ２１：入力部  ２２：表示部  ２３：記憶部  ２４：通信部  ２５：制御部  ２６：送受信処理部  ２７：入出力処理部  ２８：記憶処理部  ２９：印刷処理部  ３０（３０ａ〜３０ｃ）：タブレット（端末装置）  ３１：入力部  ３２：表示部  ３３：記憶部  ３４：通信部  ３５：制御部
３６：送受信処理部  ３７：入出力処理部  ３８：更新部  ４０：スキャナ  ５０：プリンタ  ７０：モニタ（表示装置）
【図１】
0006718682.tif 000002
【図２】
0006718682.tif 000003
【図３】
0006718682.tif 000004
【図４】
0006718682.tif 000005
【図５】
0006718682.tif 000006
【図６】
0006718682.tif 000007
【図７】
0006718682.tif 000008
【図８】
0006718682.tif 000009
【図９】
0006718682.tif 000010
【図１０】
0006718682.tif 000011
【図１１】
0006718682.tif 000012
【図１２】
0006718682.tif 000013
【図１３】
0006718682.tif 000014